(57)【要約】【課題】コンクリートからなる外槽を備える二重殻タンクの施工方法であって、外槽の骨格部分となる金属製屋根の上にコンクリートが打設されるまでの間に、外槽側壁の内面に雨水が染み出すことを防止する。【解決手段】コンクリートからなる外槽側壁の内面に一部が露出された状態で埋設されたサポート金物と、当該サポート金物に支持されると共に外槽天井部の下層部を形成する金属製屋根とを備える二重殻タンクの施工方法であって、サポート金物を取り込んだ状態でかつ上面が外槽の外側に向けて下る水案内面となるようにコンクリートを打設して外槽側壁を形成する外槽側壁形成工程と、サポート金物に対して接続される金属製屋根形成工程とを有する。【選択図】図６
2017128349.tif 000002
【特許請求の範囲】
【請求項１】
コンクリートからなる外槽側壁の内面に一部が露出された状態で埋設されたサポート金物と、当該サポート金物に支持されると共に外槽天井部の下層部を形成する金属製屋根とを備える二重殻タンクの施工方法であって、
前記サポート金物を取り込んだ状態でかつ上面が外槽の外側に向けて下る水案内面となるようにコンクリートを打設して前記外槽側壁を形成する外槽側壁形成工程と、
前記サポート金物に対して接続される金属製屋根形成工程と
を有することを特徴とする二重殻タンクの施工方法。
【請求項２】
前記水案内面は、前記外槽の外側に向けて下る傾斜面であることを特徴とする請求項１記載の二重殻タンクの施工方法。
【請求項３】
前記外槽側壁形成工程にて、前記サポート金物に外槽側壁形成領域の内側から当接される内側型枠と、外槽側壁形成領域の外側に配置されると共に前記サポート金物の上端よりも上端が低い外側型枠とを配置し、内側型枠と外側型枠との間にコンクリートを打設することを特徴とする請求項１または２記載の二重殻タンクの施工方法。
【請求項４】
前記外槽側壁形成工程にて、前記サポート金物に対して止水材を貼付してからコンクリートを打設することを特徴とする請求項１〜３いずれか一項に記載の二重殻タンクの施工方法。
【発明の詳細な説明】
【技術分野】
【０００１】
本発明は、二重殻タンクの施工方法に関するものである。
【背景技術】
【０００２】
例えば、特許文献１に示すように、ＬＮＧ（Liquefied Natural Gas）を貯蔵するために、主としてコンクリートからなる外槽と、この外槽の内部に配置される金属製の内槽とを備える二重殻タンクが用いられている。
【先行技術文献】
【特許文献】
【０００３】
【特許文献１】特開２００５−２４７３２４号公報
【発明の概要】
【発明が解決しようとする課題】
【０００４】
ところで、上述のような二重殻タンクを施工する場合には、外槽の内部に内槽を支える底部保冷層等を形成する。このような底部保冷層は、保冷機能を維持するために雨水により濡れることを防止する必要がある。このため、二重殻タンクの施工においては、先に外槽天井部の一部を形成し、外槽内部への雨水の侵入を防止してから底部保冷層の形成等を行っている。より具体的には、頂部にサポート金物が埋め込まれた状態の外槽側壁を形成し、その後エアレイジング等によって、外槽天井部の骨格部分となる金属製屋根を持ち上げてサポート金物に固定することにより外槽天井部の一部を先に形成する。
【０００５】
しかしながら、外槽天井部の骨格部分となる金属製屋根の上にコンクリートが打設されるまでの数か月間、外槽側壁の頂部が露出された状態となる。このため、雨水が外槽側壁のコンクリート部分と埋め込まれたサポート金物との境界部分に浸み込み、外槽側壁の内面に染み出す場合がある。このような場合には、底部保冷層等が濡れるのを防止する対策等を別途行う必要が生じ、工期の延長等の原因ともなる。
【０００６】
本発明は、上述する問題点に鑑みてなされたもので、コンクリートからなる外槽を備える二重殻タンクの施工方法であって、外槽の骨格部分となる金属製屋根の上にコンクリートが打設されるまでの間に、外槽側壁の内面に雨水が染み出すことを防止することを目的とする。
【課題を解決するための手段】
【０００７】
本発明は、上記課題を解決するための手段として、以下の構成を採用する。
【０００８】
第１の発明は、コンクリートからなる外槽側壁の内面に一部が露出された状態で埋設されたサポート金物と、当該サポート金物に支持されると共に外槽天井部の下層部を形成する金属製屋根とを備える二重殻タンクの施工方法であって、上記サポート金物を取り込んだ状態でかつ上面が外槽の外側に向けて下る水案内面となるようにコンクリートを打設して上記外槽側壁を形成する外槽側壁形成工程と、上記サポート金物に対して接続される金属製屋根形成工程とを有するという構成を採用する。
【０００９】
第２の発明は、上記第１の発明において、上記水案内面が、上記外槽の外側に向けて下る傾斜面であるという構成を採用する。
【００１０】
第３の発明は、上記第１または第２の発明において、上記外槽側壁形成工程にて、上記サポート金物に外槽側壁形成領域の内側から当接される内側型枠と、外槽側壁形成領域の外側に配置されると共に上記サポート金物の上端よりも上端が低い外側型枠とを配置し、内側型枠と外側型枠との間にコンクリートを打設するという構成を採用する。
【００１１】
第４の発明は、上記第１〜第３いずれかの発明において、上記外槽側壁形成工程にて、上記サポート金物に対して止水材を貼付してからコンクリートを打設するという構成を採用する。
【発明の効果】
【００１２】
本発明によれば、外槽側壁の上面が外槽の外側に向けて下る水案内面とされている。このため、外槽側壁の上面に降り注いだ雨水は、外槽側壁から水案内面に沿って外槽側壁の外側に向けて排水される。このため、外槽側壁の上面に大量に雨水が貯留されることがなく、外槽側壁に埋設されたサポート金物とその周囲のコンクリート部分との境界部に雨水が浸入することを抑止することができる。したがって、本発明によれば、コンクリートからなる外槽を備える二重殻タンクの施工方法であって、外槽の骨格部分となる金属製屋根の上にコンクリートが打設されるまでの間に、外槽側壁の内面に雨水が染み出すことを防止することが可能となる。
【図面の簡単な説明】
【００１３】
【図１】本発明の一実施形態における二重殻タンクの施工方法により施工される二重殻タンクの概略構成を示す縦断面図である。
【図２】図１の領域Ａの拡大図である。
【図３】本発明の一実施形態における二重殻タンクの施工方法の工程を説明する模式図であり、鉄筋を組み立てた状態を示す図である。
【図４】本発明の一実施形態における二重殻タンクの施工方法の工程を説明する模式図であり、内側型枠と外側型枠を設置した状態を示す図である。
【図５】本発明の一実施形態における二重殻タンクの施工方法の工程を説明する模式図であり、内側型枠と外側型枠との間にコンクリートを打設した状態を示す図である。
【図６】本発明の一実施形態における二重殻タンクの施工方法の工程を説明する模式図であり、金属製屋根を設置した状態を示す図である。
【発明を実施するための形態】
【００１４】
以下、図面を参照して、本発明に係る二重殻タンクの施工方法の一実施形態について説明する。なお、以下の図面において、各部材を認識可能な大きさとするために、各部材の縮尺を適宜変更している。
【００１５】
図１は、本実施形態の二重殻タンクの施工方法により施工される二重殻タンク１の概略構成を示す縦断面図である。この図に示すように、本実施形態の二重殻タンク１は、ＰＣ（プレストレストコンクリート）式のタンクであり、基礎床版２と、外槽３と、底部保冷層４と、内槽５と、側部保冷層６と、サスペンデッドデッキ７と、ハンガ８と、リテイニングウォール９と、上部保冷層１０とを備えている。
【００１６】
基礎床版２は、外槽３や内槽５等を下方から支持する基礎であり、上方から見て外槽３よりも大径な略円盤状とされている。この基礎床版２には、不図示のヒータが設置されており、貯留されたＬＮＧの冷熱が地中に伝わることが抑止される。外槽３は、プレストレストコンクリートからなる容器であり、内槽５を覆うように基礎床版２上に立設されている。この外槽３は、主としてコンクリートにより形成されており、円筒形状の外槽側壁３ａと、外槽側壁３ａの上縁部に接続された外槽天井部３ｂとを有している。
【００１７】
図２は、外槽側壁３ａと外槽天井部３ｂとの接続部分（図１の領域Ａ）を拡大した模式的な断面図である。この図に示すように、外槽側壁３ａは、コンクリート層３ａ１に埋設された鉄筋３ａ２と、外槽側壁３ａの内面に一部が露出されるように埋設されたサポート金物３ａ３と、サポート金物３ａ３とコンクリート層３ａ１との境界部に配置された止水材３ａ４とを有している。なお、図１及び図２には図示していないが、外槽側壁３ａには、プレストレスを付与するためのシース管も設置されている。
【００１８】
鉄筋３ａ２は、基礎床版２から複数立設されており、外槽側壁３ａの高さ方向の全域に配設されている。これらの鉄筋３ａ２は、コンクリート層３ａ１を支持する強度部材であり、外槽側壁３ａの骨格部分とされている。サポート金物３ａ３は、内面がコンクリート層３ａ１の内面（すなわち外槽側壁３ａの内面）と面一となるように、外槽側壁３ａの頂部に埋設された略環状の部材である。このサポート金物３ａ３は、鉄筋３ａ２と部分的に接続されている。このようなサポート金物３ａ３は、外槽天井部３ｂの後述する金属製屋根３ｂ１が接続される部位とされている。止水材３ａ４は、二重殻タンク１の施工中に、コンクリート層３ａ１とサポート金物３ａ３との境界部に雨水が浸入することを防止する部材である。このような止水材３ａ４としては、例えば水を吸収することにより膨張する水膨張性止水材を用いることができる。
【００１９】
外槽天井部３ｂは、金属製屋根３ｂ１と、コンクリート層３ｂ２とを有している。金属製屋根３ｂ１は、外槽天井部３ｂの下層部を形成する鋼製の骨格部材であり、図２に示すように、肩部３ｂ３と中央部３ｂ４とを有している。肩部３ｂ３は、金属製屋根３ｂ１の外周縁部であり、サポート金物３ａ３と溶接されている。このような肩部３ｂ３は、サポート金物３ａ３と同心かつ同径とされると共にサポート金物３ａ３に直接接合される下部３ｂ５と、下部３ｂ５に下方から支持されると共に外槽３の径方向外側に下部３ｂ５よりも突出された上部３ｂ６とを有している。中央部３ｂ４は、肩部３ｂ３の上部３ｂ６と溶接されている。コンクリート層３ｂ２は、金属製屋根３ｂ１に下方から支持されて外槽側壁３ａのコンクリート層３ａ１に接続されており、外槽天井部３ｂの上層部を形成している。
【００２０】
図１に戻り、底部保冷層４は、基礎床版２の上面に載置されており、内槽５を下方から支持している。この底部保冷層４は、基礎床版２よりも小径の略円盤状とされており、上方から見て基礎床版２の同軸状に配置されている。この底部保冷層４は、例えばパーライトコンクリートや砂等によって形成されている。内槽５は、底部保冷層４上にされた金属製の容器であり、有底円筒で上端が開口端とされた形状を有している。この内槽５の内部にＬＮＧが貯留される。この内槽５は、内槽底部５ａと、内槽底部５ａの縁部に立設される内槽側壁５ｂとを有している。
【００２１】
側部保冷層６は、外槽側壁３ａと内槽側壁５ｂとの間に配置されており、粒状のパーライトが充填されることにより形成されている。また、側部保冷層６は、図１に示すように、内槽５の上部にまで形成されており、サスペンデッドデッキ７の上部に形成されたリテイニングウォール９に側方から支持されることよってサスペンデッドデッキ７の外周部の上部まで充填配置されている。
【００２２】
サスペンデッドデッキ７は、開口端とされた内槽５の上端を上方から塞ぐようにハンガ８によって吊り下げ支持された金属製の円盤状の部材である。ハンガ８は、上端部が外槽天井部３ｂに固定されると共に、下端部がサスペンデッドデッキ７に固定されている。このようなハンガ８は、図１に示すように、外槽天井部３ｂとサスペンデッドデッキ７との間に複数設置されており、サスペンデッドデッキ７を吊り下げ支持する。
【００２３】
リテイニングウォール９は、サスペンデッドデッキ７の外縁部に沿って略円筒状に配設されており、外槽天井部３ｂからサスペンデッドデッキ７に亘って形成されている。このようなリテイニングウォール９は、粒状のパーライトからなる側部保冷層６がサスペンデッドデッキ７の上方（タンク内側）に侵入することを防止している。上部保冷層１０は、サスペンデッドデッキ７の上面に載置されており、リテイニングウォール９の内側に配置されている。このような上部保冷層１０は、ポリウレタンフォーム等によって形成されている。
【００２４】
続いて、本実施形態の二重殻タンク１の施工方法について、図３〜図６を参照して説明する。なお、以下の説明では基礎床版２は既に形成されているものとする。
【００２５】
まず、図３に示すように、鉄筋３ａ２を組み立て、組み立てられた鉄筋３ａ２に止水材３ａ４が貼付されたサポート金物３ａ３を取り付ける。続いて、図４に示すように、組み立てられた鉄筋３ａ２を挟み込むように外側型枠Ｋ１と内側型枠Ｋ２とを設置する。つまり、外槽側壁３ａの形成領域の外側に対して外側型枠Ｋ１を配置し、外槽側壁３ａの形成領域の内側に対して内側型枠Ｋ２を配置する。ここで、内側型枠Ｋ２は、サポート金物３ａ３に外槽形成側領域の内側から当接されるように配置され、サポート金物３ａ３の頂部と上端が同じ位置となる高さとされている。また、外側型枠Ｋ１は、上端が内側型枠Ｋ２よりも低い位置となる高さとされている。
【００２６】
続いて、図５に示すように、外側型枠Ｋ１と内側型枠Ｋ２との間にコンクリートを打設する。このとき、内側型枠Ｋ２の上端（すなわちサポート金物３ａ３の上端）から外側型枠Ｋ１の上端を結ぶように打設されたコンクリートの上面に傾斜面からなる水案内面３ａ５を形成する。このような水案内面３ａ５は、外槽側壁３ａの径方向外側に向けて下る傾斜面となる。
【００２７】
このような図３〜図５に示した工程を経ることにより、上面が傾斜面からなる水案内面３ａ５とされた外槽側壁３ａがサポート金物３ａ３を取り込んだ状態で形成される。つまり、図３〜図５に示す工程は、本発明における外槽側壁形成工程に相当する。
【００２８】
続いて、図６に示すように、外側型枠Ｋ１及び内側型枠Ｋ２を撤去すると共にサポート金物３ａ３に対して金属製屋根３ｂ１を接続する。ここでは、まず金属製屋根３ｂ１の肩部３ｂ３をサポート金物３ａ３に溶接する。さらに外槽側壁３ａの内側で金属製屋根３ｂ１の中央部３ｂ４を形成し、形成された中央部３ｂ４を持ち上げて肩部３ｂ３と溶接する。このような図６に示す工程により、金属製屋根３ｂ１がサポート金物３ａ３に対して接続される。つまり、図６に示す工程は、本発明における金属製屋根形成工程に相当する。
【００２９】
図６に示すように、サポート金物３ａ３に対して金属製屋根３ｂ１が接続されると、外槽側壁３ａにて囲まれた空間が金属製屋根３ｂ１に覆われる。このようにして金属製屋根３ｂ１で覆われた空間にて、底部保冷層４、内槽５、側部保冷層６、サスペンデッドデッキ７、ハンガ８、リテイニングウォール９及び上部保冷層１０を形成する。このような金属製屋根３ｂ１で覆われた空間での作業の後あるいは並行して金属製屋根３ｂ１の上部にコンクリートを打設し、これにより外槽天井部３ｂのコンクリート層３ｂ２を形成する。なお、以上のような工程に加えて、配管の配設作業等を行い二重殻タンク１が完成する。
【００３０】
ここで、本実施形態の二重殻タンク１の施工方法によれば、金属製屋根３ｂ１の上にコンクリート層３ｂ２を形成するまでの間、外槽側壁３ａの上面が外槽３の径方向外側に向けて下る水案内面３ａ５とされている。このため、外槽側壁３ａの上面に降り注いだ雨水は、外槽側壁３ａから水案内面３ａ５に沿って外槽側壁３ａの外側に向けて排水される。このため、外槽側壁３ａの上面に大量に雨水が貯留されることがなく、外槽側壁３ａに埋設されたサポート金物３ａ３とその周囲のコンクリート層３ａ１との境界部に雨水が浸入することを抑止することができる。したがって、本実施形態の二重殻タンク１によれば、外槽３の骨格部分となる金属製屋根３ｂ１の上にコンクリートが打設されるまでの間に、外槽側壁３ａの内面に雨水が染み出すことを防止することが可能となる。
【００３１】
また、本実施形態の二重殻タンク１の施工方法においては、水案内面３ａ５が、外槽３の外側に向けて下る傾斜面とされている。このため、外槽側壁３ａの上面の全域において雨水を確実に外槽側壁３ａの外側に向けて案内することができる。したがって、本実施形態の二重殻タンク１の施工方法によれば、より確実にサポート金物３ａ３とその周囲のコンクリート層３ａ１との境界部に雨水が浸入することを抑止することができる。
【００３２】
また、本実施形態の二重殻タンク１の施工方法においては、外槽側壁形成工程にて、サポート金物３ａ３に外槽側壁形成領域の内側から当接される内側型枠Ｋ２と、外槽側壁形成領域の外側に配置されると共にサポート金物３ａ３の上端よりも上端が低い外側型枠Ｋ１とを配置し、外側型枠Ｋ１と内側型枠Ｋ２との間にコンクリートを打設する。このため、サポート金物３ａ３の上端と外側型枠Ｋ１の上端とを基準とし、これらを結ぶ斜面を形成することにより、容易に水案内面３ａ５を形成することができる。したがって、外槽側壁３ａの全周において、均一な傾きの水案内面３ａ５を形成することができる。
【００３３】
また、本実施形態の二重殻タンク１の施工方法においては、外槽側壁形成工程にて、サポート金物３ａ３に対して止水材３ａ４を貼付してからコンクリートを打設する。このため、サポート金物３ａ３とコンクリート層３ａ１との境界部に止水材３ａ４を容易に配置することができる。このような止水材３ａ４が設けられることにより、仮にサポート金物３ａ３とその周囲のコンクリート層３ａ１との境界部に雨水が浸入した場合であっても、その雨水が外槽側壁３ａの内面に染み出すことを防止することができる。
【００３４】
また、本実施形態の二重殻タンク１の施工方法においては、金属製屋根３ｂ１の肩部３ｂ３の上部３ｂ６は、下部３ｂ５から外側に突出されている。このため、金属製屋根３ｂ１上に降った雨水が下部３ｂ５を伝ってサポート金物３ａ３の近傍に落ちることを抑止することができる。したがって、より確実にサポート金物３ａ３とその周囲のコンクリート層３ａ１との境界部に雨水が浸入することを抑止することができる。
【００３５】
以上、図面を参照しながら本発明の好適な実施形態について説明したが、本発明は上記実施形態に限定されるものではない。上述した実施形態において示した各構成部材の諸形状や組み合わせ等は一例であって、本発明の趣旨から逸脱しない範囲において設計要求等に基づき種々変更可能である。
【００３６】
例えば、上記実施形態においては、水案内面３ａ５が傾斜面である構成について説明した。しかしながら、本発明はこれに限定されるものではなく、外槽側壁３ａの外側に向けて段階的に下る段差面とすることも可能である。このような場合であっても、外槽側壁３ａの上面のうち外側寄りの領域に降った雨水が、内側寄りに配置されたサポート金物３ａ３の方向に流れることを防止し、サポート金物３ａ３とその周囲のコンクリート層３ａ１との境界部に雨水が浸入することを抑止することができる。また、水案内面３ａ５を斜面や段差面等を組み合わせた形状とすることも可能である。
【００３７】
また、上記実施形態において、水案内面３ａ５に対して、案内溝を形成する構成を採用することも可能である。このような構成を採用することにより、案内溝によって雨水の流れをより正確に案内することができ、例えば所望の箇所から集中的に雨水を排水すること等が可能となる。
【００３８】
また、上記実施形態において、サポート金物３ａ３の上端よりも低い外側型枠Ｋ１を配置し、サポート金物３ａ３の上端と外側型枠Ｋ１の上端とを基準とし、これらを結ぶ斜面を形成することにより、水案内面３ａ５を形成する構成について説明した。しかしながら、本発明はこれに限定されるものではなく、外側型枠Ｋ１と内側型枠Ｋ２の高さを同一にし、別の方法で傾斜面を形成するようにしても良い。
【００３９】
また、上記実施形態においては、コンクリートを打設する前に予め止水材３ａ４をサポート金物３ａ３に貼付しておく構成について説明した。しかしながら、本発明はこれに限定されるものではなく、止水材３ａ４を設けない構成あるいはコンクリートの打設後に止水材３ａ４を別の箇所に設ける構成等を採用することも可能である。
【符号の説明】
【００４０】
１  二重殻タンク
２  基礎床版
３  外槽
３ａ  外槽側壁
３ａ１  コンクリート層
３ａ２  鉄筋
３ａ３  サポート金物
３ａ４  止水材
３ａ５  水案内面
３ｂ  外槽天井部
３ｂ１  金属製屋根
３ｂ２  コンクリート層
３ｂ３  肩部
３ｂ４  中央部
３ｂ５  下部
３ｂ６  上部
４  底部保冷層
５  内槽
５ａ  内槽底部
５ｂ  内槽側壁
６  側部保冷層
７  サスペンデッドデッキ
８  ハンガ
９  リテイニングウォール
１０  上部保冷層
Ｋ１  外側型枠
Ｋ２  内側型枠
【図１】
2017128349.tif 000003
【図２】
2017128349.tif 000004
【図３】
2017128349.tif 000005
【図４】
2017128349.tif 000006
【図５】
2017128349.tif 000007
【図６】
2017128349.tif 000008